(57)【要約】【課題】筐体の開口部の内側への突起を減じ、かつ多点部で筐体に係止して内部圧力に対して安全性の高いスイッチギヤの扉ロック装置を容易に得る。【解決手段】電気機器が収容される筐体１と、筐体１の開口部に開閉自在に取り付けられた扉２と、扉２の外面に設けられて開位置と閉位置に回動するハンドル３と、扉２の内面にスライド可能に取り付けられてスライド方向に複数の係合穴５ａを有しハンドル３の回動に連動し上下にスライドするスライドプレート５と、筐体１の開口部に固定されて係合穴５ａに係止可能な複数の鉤状の突起部７ａを有するロックプレート７とを備え、扉２が閉じられてハンドル３が閉位置にあるときはスライドプレート５の係合穴５ａがロックプレート７の突起部７ａに係止し、開位置にあるときは係止が外れるように構成した。【選択図】図４
2014057453.tif 000002
【特許請求の範囲】
【請求項１】
電気機器が収容される筐体と、周縁に断面コの字状の折曲部が形成されて前記筐体の開口部に開閉自在に取り付けられた扉と、前記扉の外面に設けられて開位置と閉位置に回動するハンドルと、前記扉の内面にスライド可能に取り付けられてスライド方向に複数の係合穴を有し前記ハンドルの回動に連動し上下にスライドするスライドプレートと、前記開口部に固定されて前記開口部から外側に突出し前記係合穴に係止可能な複数の鉤状の突起部を有するロックプレートとを備え、
前記扉が閉じられて前記ハンドルが前記閉位置にあるときは前記スライドプレートの前記係合穴が前記ロックプレートの前記突起部に係止し、前記開位置にあるときは前記係止が外れるように構成されていることを特徴とするスイッチギヤの扉ロック装置。
【請求項２】
請求項１記載のスイッチギヤの扉ロック装置において、
前記スライドプレートは、前記スライド方向に長い薄鋼板により幅方向が段付状又は断面コの字状に折り曲げられて形成され、前記幅方向の両側近傍に複数のスライド用の長穴を有し中央部に前記長穴と並行して前記係合穴が設けられており、前記係合穴の形状は、前記扉を閉めるときに前記突起部を誘い込む誘い込み部が広く、前記スライドプレートがスライドしたとき係止する係止部が狭いクサビ状の長穴としたことを特徴とするスイッチギヤの扉ロック装置。
【請求項３】
請求項１又は請求項２に記載のスイッチギヤの扉ロック装置において、
前記ロックプレートの前記突起部の形状は、前記スライド方向に向かって前記鉤状に屈曲し、前記鉤状の先端に行くに従い係合が緩くなる方向に傾斜した傾斜部を有していることを特徴とするスイッチギヤの扉ロック装置。
【請求項４】
請求項１〜請求項３のいずれか１項に記載のスイッチギヤの扉ロック装置において、
前記スライドプレートは、前記ハンドルのハンドル軸に一端側が固定されたリンクに、前記リンクの他端側と前記スライドプレートとを連結する連結板を介して連結されており、前記連結板を取り替えて前記リンクの他端側と前記連結板との連結点の位置を変えることにより、前記ハンドルの回動方向に対する前記スライドプレートのスライドの上下方向が変更可能に構成されていることを特徴とするスイッチギヤの扉ロック装置。
【発明の詳細な説明】
【技術分野】
【０００１】
この発明は、金属閉鎖形スイッチギヤに使用される扉のロック装置に関し、特に内部アーク事故等による圧力上昇に強い扉のロック構造に関するものである。
【背景技術】
【０００２】
スイッチギヤにおいて、小動物の侵入や過電圧，誤操作等により発生する内部アーク事故は、その発生により装置内部に熱が発生して圧力が異常に上昇し、装置に大きな機械的及び熱的ストレスを与えることになる。このため、スイッチギヤの内部圧力が異常に上昇したときは、内部圧力を積極的に放圧させる対策を講じると共に、もし内部圧力により開放した場合に人体に接触する可能性がある前面扉部及び後面カバー部は、内部圧力に耐えられるような対策が必要である。
内部アーク事故発生等を考慮した閉鎖配電盤の扉ロック装置の従来技術として、例えば、扉の内側にかぎ状の切欠き穴を有する鎖錠板を扉面に直角方向に盤の内方に突出させて固着し、盤の箱体の開口部側壁に、上記鎖錠板のかぎ状切欠き穴に係合可能なピンを側壁に直角方向に突出させて設けた掛金が、扉のハンドルの回動に連動して上下動可能に取り付けられた扉ロック装置が開示されている（例えば、特許文献１参照）。
【先行技術文献】
【特許文献】
【０００３】
【特許文献１】実開昭５８−３４５０６号公報（第２頁−３頁、第１図−第５図）
【発明の概要】
【発明が解決しようとする課題】
【０００４】
特許文献１に示すような扉ロック装置では、扉内側に設けたかぎ状の切欠き穴を有する鎖錠板と、盤の開口部に設けた掛金のピンが複数箇所で係合することで、閉鎖配電盤の扉が閉じた状態で箱体に強固に固定できるため、内部アークの発生による内圧に対して安全性の高い扉構造となっているが、掛金のピンが箱体開口部の側壁に直角に内側に向けて設けられているので、盤開口部の内側に突起物が飛び出した状態になっており、配電盤の組立時に収容機器を搬入する際や保守点検時に機器を引き出す際に突起物と干渉する虞があり、また突起物に人体が接触して受傷する虞があるという問題があった。
【０００５】
この発明は、上記のような問題を解決するためになされたもので、機器を出し入れする際の干渉物となるような突起を無くし、かつ簡単な構成により扉を多点部で筐体に係止できるスイッチギヤの扉ロック装置を得ることを目的とする。
【課題を解決するための手段】
【０００６】
この発明に係るスイッチギヤの扉ロック装置は、電気機器が収容される筐体と、周縁に断面コの字状の折曲部が形成されて筐体の開口部に開閉自在に取り付けられた扉と、扉の外面に設けられて開位置と閉位置に回動するハンドルと、扉の内面に設けられてハンドルの回動に連動して上下にスライドしスライド方向に複数の係合穴を有するスライドプレートと、筐体の開口部に固定されて係合穴に向けて突出した複数の鉤状の突起部を有するロックプレートとを備え、扉が閉じられてハンドルが閉位置にあるときはスライドプレートの係合穴がロックプレートの突起部に係止し、開位置にあるときは係止が外れるように構成されているものである。
【発明の効果】
【０００７】
この発明のスイッチギヤの扉ロック装置によれば、扉の内面に設けられてハンドルの回動に連動して上下にスライドしスライド方向に複数の係合穴を有するスライドプレートと、筐体の開口部に固定されて係合穴に向けて突出した複数の鉤状の突起部を有するロックプレートとを備え、扉が閉じられてハンドルが閉位置にあるときはスライドプレートの係合穴がロックプレートの突起部に係止し、開位置にあるときは係止が外れるように構成したので、ハンドルの回動操作で扉を複数の係止点で係止できる扉ロック構造を簡単な構成で容易に実現でき、筐体の内部圧力が急上昇したときにかかる大きな荷重を多数点の係止部で分散できるため、扉が不用意に開いたり破損したりするのを防止できる。
また、特許文献１のような扉ロック装置と比較して、筐体の開口部の内側への突起物がほとんどないため、収容機器の出入時の機器と突起物との干渉や人体との接触を防止できる。
【図面の簡単な説明】
【０００８】
【図１】この発明の実施の形態1によるスイッチギヤの扉ロック装置の要部裏面図である。
【図２】図１の矢印Ａ−Ａから見た平面断面図である。
【図３】図１の矢印Ｂ−Ｂから見た平面断面図である。
【図４】図１の扉ロック装置の要部側面図である。
【図５】この発明の実施の形態1によるスイッチギヤの扉ロック装置のスライドプレートの詳細図である。
【図６】この発明の実施の形態1によるスイッチギヤの扉ロック装置のロックプレートの詳細図である。
【図７】この発明の実施の形態1によるスイッチギヤの扉ロック装置の他の例を示す要部裏面図である。
【図８】この発明の実施の形態２によるスイッチギヤの扉ロック装置のスライドプレート部の平面断面図である。
【図９】図８のスライドプレートの詳細図である。
【図１０】スライドプレートの他の例を示す詳細図である。
【発明を実施するための形態】
【０００９】
実施の形態１．
図１は、この発明の実施の形態１によるスイッチギヤの扉ロック装置の要部を扉の裏面から見た部分図であり、（ａ）は扉を閉めてハンドルを閉位置に回し施錠できる状態であり、（ｂ）は解錠してハンドルを回し開位置にした状態を示している。図１に示すものは、扉の外部側からハンドルを見て、ハンドルを反時計方向に回動させたとき扉の係止が解除される構造である。図２は、図１をＡ−Ａ方向に見たハンドル部の平面断面図、図３は、図１をＢ−Ｂ方向に見たスライドプレート部の平面断面図である。また、図４は、図１に示す扉ロック装置の要部側面図である。
【００１０】
スイッチギヤは、一般的に直方体状をした金属筐体の内部に、遮断器等の電気機器が収容されて構成されている。筐体は、前面側の開口部にヒンジにより開閉する扉を有し、扉外面のヒンジ側とは反対側の側部近傍に、閉位置と開位置に回動するハンドルが設けられ、このハンドル部で施錠できるようになっている。なお、扉又はこれに類するカバーは、筐体の背面側にも設けられる場合がある。
【００１１】
まず図１〜図４に基づいて本願の扉ロック装置の構成について説明する。
図２，３に示すように、筐体１の開口部の周縁、及び扉２の周縁の形状は、周縁に断面コの字の屈曲部が形成されている。これは、内部アーク等の発生による内圧に対して、強度を確保するための配慮でもある。
以下の説明の便宜上、筐体１の開口部の屈曲部において、筐体１の側面から直角に折り曲げられて扉２と対向する面を扉取付面１ａ、その面から更に直角に内側に曲げられて側面と平行な面を開口部内周面１ｂと呼ぶことにする。
一方、扉２側は、周縁の直角に折り曲げられた扉側面に対し、扉側面から更に内側に直角に折り曲げられて筐体１の扉取付面１ａと対向する面を、開口部対向面２ａと呼ぶことにする。また扉２において、ハンドル３が取り付けられる面を扉外面２ｂと呼び、その裏側で筐体１の内部に面する部分を扉内面２ｃと呼ぶことにする。
【００１２】
図２のように、扉２の周縁近傍の扉外面２ｂに、鍵付のハンドル３が設けられており、扉内面２ｃ側には、ハンドル軸３ａと共に回動するリンク４がハンドル軸３ａに固定されている。
また、扉内面２ｃには、図１及び図３に示すように、幅方向を段状に折り曲げて形成されて上下方向に長いスライドプレート５が、リンク４と連結板６を介して連結されて、長手方向（上下方向）にスライド可能に設けられている。このスライドプレート５の詳細と取付構造は後述するが、スライドプレート５には、図１に示すように、くさび状をした係合穴５ａが長手方向に複数個設けられている。
【００１３】
一方、筐体１側には、図３に示すように、開口部内周面１ｂにロックプレート７が固定されている。ロックプレート７の詳細も後述するが、ロックプレート７には、筐体１の扉取付面１ａより外側に突出し、スライドプレート５の係合穴５ａに係合し係止可能な複数の突起部７ａが設けられている。
図１及び図４に示すように、ハンドル３を回すことによりハンドル軸３ａが回動し、リンク４及び連結板６を介してスライドプレート５が上下動し、この動作でスライドプレート５の係合穴５ａがロックプレート７の突起部７ａに係合し、その鉤状に曲がった部分で係止することで、扉２が筐体１に固定されるように構成されている。
【００１４】
次に、各部の詳細について説明する。
図５は、スライドプレート５を示す図である。（ａ）は図１のスライドプレート５の正面図とその側面図であり、（ｂ）は（ａ）の変形例を示す正面図とその側面図である。（ａ）が基本形なので、以下、（ａ）に基づいて説明する。
スライドプレート５は、細長い薄鋼板により、幅方向に段差を設けて段状に折り曲げて形成されている。幅方向の両側近傍には、スライド方向に長いスライド用の長穴５ｂ，５ｃが複数個設けられており、両長穴５ｂ，５ｃの内側には長穴と並行して先に説明したくさび状の係合穴５ａが複数個設けられている。係合穴５ａの詳細は後述する。
またスライドプレート５の長手方向の中間部近傍には、ハンドル３のハンドル軸３ａ部と干渉しないように切欠５ｄを設け、更に、リンク４とスライドプレート５を連結させる連結板６（図１参照）を取り付けるための取付穴５ｅが設けられている。
【００１５】
図６は、ロックプレート７の詳細図である。（ａ）は図５（ａ）に示すスライドプレート５と対応するロックプレート７で、図４と同方向に見た正面図である。（ｂ）は（ａ）の変形例なので、以下、（ａ）に基づいて説明する。
ロックプレート７は、細長い薄鋼板からなり、幅方向の一方に、複数の鉤状の突起部７ａが形成されている。突起部７ａの相互の間隔は、スライドプレート５の係合穴５ａの相互の間隔と同じである。鉤状の先端側は、スライド方向で且つ係合穴５ａと係止する側に向けて屈曲している。
また、筐体１に取り付けるための取付穴７ｂが、長手方向に複数個設けられている。
【００１６】
次に各部品の組立について説明する。
ハンドル３は、図２に示すように、扉外面２ｂ側から差し込んで扉内面２ｃ側でナットにより締め付けて固定し、ハンドル軸３ａにリンク４を固定する。
スライドプレート５は、図３に示すように、スライドプレート５の幅方向右側の長穴５ｂが、扉内面２ｃに設けられてスタッドにより構成されたガイド部材８に、スペーサ９を介してスライド可能に取り付けて、ナットにより外れないように組み付けている。また、幅方向左側の長穴５ｃ側は、扉２の開口部対向面２ａの内側に設けられてリベットにより構成されたガイド部材１０に、スライド可能に取り付けている。
スライドプレート５の長手方向の中央部近傍の切欠部５ｄには、図１に示すように、連結板６を取り付け、この連結板６とリンク４の一方とを、リベット１１により回動自在に連結している。
【００１７】
ロックプレート７は、図３及び図４に示すように、筐体１の開口部内周面１ｂに、例えば、ねじ留め等により固定する。ロックプレート７の突起部７ａは、スライドプレート５の面に対して直交方向に向けて筐体１の扉取付面１ａより外側に突出し、スライドプレート５の係合穴５ａと対向する。なお、ねじ留めするネジの頭部形状を工夫することにより、開口部内側への突起を更に少なくすることが可能であり、筐体１内に機器を出し入れする際に干渉する突起物はほとんどなく、開口部を広く利用できる。
【００１８】
次に、本実施の形態の扉ロック装置の動作について説明する。
図１（ａ）のように扉２を締めてスライドプレート５を下方に移動した状態では、スライドプレート５のくさび状をした係合穴５ａのくさび状先端側がロックプレート７の突起部７ａの鉤状部と係合して図４に示すような状態に係止され、扉２は筐体１にロックされて開くことができない。この状態でハンドル３に設けられている錠を施錠することで、スイッチギヤの扉２を筐体１に固定することができる。
（ａ）の状態から解錠して、ハンドル３を外部側から見て反時計方向に回すと、ハンドル３の回動に連動してリンク４が回動し、これにより連結板６を介してスライドプレート５が上方にスライドし、（ｂ）のような状態になる。この状態では、係合穴５ａとロックプレート７の突起部７ａとの係止が解除され、扉２を開くことが可能になる。
扉２が開いた状態から扉２を閉めてハンドル３を外部側か見て時計方向に回すと、（ａ）の状態となる。
【００１９】
次に、スライドプレート５の係合穴５ａを、くさび状にしたことの作用について説明する。図１（ｂ）に拡大図で示すように、係合穴５ａのくさび状に狭まった先端側は、ロックプレート７の鉤状をした突起部７ａとの係止部５ｆであり、くさび状部の下方の幅の広い部分は、扉２を閉めるときに突起部７ａを誘い込む誘い込み部５ｇとなっている。このような構成により、スライドプレート５をスライドさせたとき、係合穴５ａと突起部７ａに多少の取付寸法の誤差があっても、両者を滑らかに且つ強固に係止させることができる。
また、突起部７ａの鉤状の曲がり方向と係合穴５ａの係止部５ｆの方向を図のように共に上方とすることで、突起部７ａが誘い込み部５ｇを通過後にスライドプレート５が下方にスライドして、突起部７ａと係合穴５ａとが係合するため、スライドプレート５の重量による下方向への力が加わり、より強固に係止することができる。
【００２０】
また、ロックプレート７の鉤状をした突起部７ａの形状は、単純な鉤状でも良いが、本実施の形態では、図４中の拡大図に示すような形状としている。すなわち、突起部７ａの鉤状に曲がった部分の内側を斜めに加工して、鉤状の先端に向かうに従い係合が緩くなるような方向の傾斜部７ｃを設けている。こうすることで、突起部７ａと係合穴５ａとを滑らかに、かつ強固に係止させることができる。
また、ロックプレート７を筐体１の開口部内周面１ｂに取り付ける取付穴７ｂは、図では丸穴で示しているが，例えば上下に長い長穴とすれば、上下方向の取付位置の微調整も容易にできる。
【００２１】
以上までに説明したように、この扉ロック装置は、主要部品を薄鋼板の簡単な加工によるスライドプレート５とロックプレート７で構成して、筐体１に扉２を複数箇所で係合させて係止する構造を容易に実現できるため、内部アークの発生による内圧に対して安全性の高い扉構造を安価に得ることができる。
スライドプレート５及びロックプレート７は、薄鋼板をプレス加工や抜き加工で簡単に製作できため、次に説明するようにスライドプレート５とロックプレート７の係合箇所を容易に増減でき、必要な扉強度を容易に得ることができる。
【００２２】
図５（ｂ）はスライドプレート５の変形例である。例えば、扉２のロック強度を増やしたいときは、図５（ｂ）に示すように、スライドプレート５の係合穴５ａの個数と、スライド用の長穴５ｂ，５ｃの個数を増やせばよい。この場合は、当然、それに対応するロックプレート７側も、図６（ｂ）に示すように、係止用の突起部７ａを係合穴５ａに対応させた個数とし、かつ取付穴７ｂの個数も増やす。このように、スライドプレート５とロックプレート７を交換すれば、係合箇所を容易に増減できる。
【００２３】
また、これまでの説明した扉ロック装置は、図１のように、扉外面２ｂ側からハンドル３を見て、ハンドル３を反時計方向に回動させたとき扉２が開放される構造であっが、スイッチギヤの配置等の関係で、ハンドル３の回動方向と扉２の開閉の関係を逆にしたい場合もある。以下、その場合の対応について説明する。
図７は扉ロック装置の他の例であり、扉２の外部側からハンドル３を見て、ハンドル３を時計方向に回動させたとき扉２を開くことができる扉ロック装置である。図１と同様に扉の裏面から見た部分図である。基本的には図１と同等なので、同等部分は同一符号を付して説明は省略し、図１との相違点を中心に説明する。
【００２４】
図１の場合とは連結板の形状が異なり、図７の連結板１２は、ハンドル３の軸心３ａに設けたリンク４と連結する連結点が、図７の方向に見て、ハンドル３の軸心３ａより右側となるような形状としている。連結板１２とリンク４とは、リベット１１で回動自在に連結している。
（ａ）は扉２を閉めてロックし鎖錠できる状態を示し、この状態から解錠してハンドル３を外面側から見て時計方向に回せば、スライドプレート５が上方にスライドして（ｂ）の状態になり、開扉できる状態となる。
図１と比較して分かるように、連結板の形状が異なるだけなので、図１の連結板６から連結板１２に交換することで、時計方向の回動で開扉できる構造とすることができる。
なお、図１及び図７のリンク４は、どちらの回動方向のハンドル３にも対応できるように、ハンドル軸３ａに固定される部分を回動中心としその左右に連結板との結合点、すなわちリベット穴を設けたものを示している。しかし、これに限定するものではなく、それぞれのハンドル回動方向に専用のリンク形状としても良く、また、連結板を介さずにリンクとスライドプレートを直接連結しても良い。
【００２５】
以上のように、実施の形態１のスイッチギヤの扉ロック装置によれば、電気機器が収容される筐体と、周縁に断面コの字状の折曲部が形成されて筐体の開口部に開閉自在に取り付けられた扉と、扉の外面に設けられて開位置と閉位置に回動するハンドルと、扉の内面にスライド可能に取り付けられてスライド方向に複数の係合穴を有しハンドルの回動に連動し上下にスライドするスライドプレートと、開口部に固定されて開口部から外側に突出し係合穴に係止可能な複数の鉤状の突起部を有するロックプレートとを備え、扉が閉じられてハンドルが閉位置にあるときはスライドプレートの係合穴がロックプレートの突起部に係止し、開位置にあるときは係止が外れるように構成したので、ハンドルの回動操作で扉を複数の係止点で係止できる扉ロック構造を簡単な構成で容易に実現でき、筐体の内部圧力が急上昇したときにかかる大きな荷重を多数点の係止部で分散できるため、扉が不用意に開いたり破損したりするのを防止できる。
また、特許文献１のような扉ロック装置と比較して、筐体の開口部の内側への突起物がほとんどないため、収容機器の出し入れ時の機器と突起物との干渉や人体との接触を防止できる。
また、内圧に対する必要な耐荷重に応じて、スライドプレートとロックプレートの係止部を容易に増減可能であり、最適な扉強度を容易に得ることが可能である。
【００２６】
また、スライドプレートは、スライド方向に長い薄鋼板により幅方向が段付状に折り曲げられて形成され、幅方向の両側近傍に複数のスライド用の長穴を有し中央部に長穴と並行して係合穴が設けられており、係合穴の形状は、扉を閉めるときに突起部を誘い込む誘い込み部が広く、スライドプレートがスライドしたとき係止する係止部が狭いクサビ状の長穴としたので、係合穴と突起部に多少の取付寸法の誤差があっても、両者を滑らかに且つ強固に係止させることができる。
【００２７】
また、ロックプレートの突起部の形状は、スライド方向で且つ係合穴と係止する側に向けて鉤状に屈曲し、鉤状の先端に向かうに従い係合が緩くなる方向に傾斜した傾斜部を有しているので、突起部と係合穴とを滑らかに、かつ強固に係止させることができる。
【００２８】
また、スライドプレートは、ハンドルのハンドル軸に一端側が固定されたリンクに、リンクの他端側とスライドプレートとを連結する連結板を介して連結されており、連結板を取り替えてリンクの他端側と連結板との連結点の位置を変えることにより、ハンドルの回動方向に対するスライドプレートのスライドの上下方向を変更可能に構成したので、上記の効果に加えて、いずれのハンドルの回動方向にも対応できる扉ロック装置を容易に得ることができる。
【００２９】
実施の形態２．
図８は，実施の形態２によるスイッチギヤの扉ロック装置のスライドプレート部の平面断面図であり、実施の形態１の図３に対応する部分である。図３と同等部分は同一符号を付している。また、図９は、図８中のスライドプレートの詳細図で、図５に対応する部分であり、長手方向の上半分のみを示している。（ａ）は正面図、（ｂ）は側面図、（ｃ）は裏面図である。
ハンドルの開閉動作をスライドプレートに伝達するまでの機構は、実施の形態１の図１及び図２と同等なので、図示及び詳細な説明は省略する。以下では、相違点を中心に説明する。
【００３０】
相違点はスライドプレートの形状である。本実施の形態のスライドプレート１３は、細長い薄鋼板により、幅方向を断面コの字状に折り曲げて形成している。折り曲げた一方の面（幅の狭い方の面）には、扉２の扉内面２ｃに設けたガイド部材８にガイドされてスライド可能な長穴１３ｂ（図５の５ｂに相当）が形成されており、折り曲げた他方の面（幅の広い方の面）は、扉２の開口部対向面２ａの裏面に設けたガイド部材１０にガイドされてスライド可能な長穴１３ｃ（図５の５ｃに相当）と係合穴１３ａ（図５の５ａに相当）が形成されている。
このような構成により、段状に折り曲げた図５の場合と比較して、幅方向の寸法を縮小できるため、省スペース化を図ることができる。
【００３１】
また、長穴は通常の長穴でも良いが、図９に示すように、各長穴の下部に切欠部１３ｄを設けておけば、スライドプレート１３の着脱時に、ガイド部材８，１０のねじを取り外すことなく着脱が可能となる。
【００３２】
切欠部を設けることに関しては、実施の形態１のスライドプレート５の場合にも同様に適用できる。図１０は、実施の形態１のスライドプレート５において、長穴に切欠部を設けた場合を示す図であり、（ａ）は正面図、（ｂ）は側面図である。図９同様に上半分のみを示している。
各長穴５ｂ，５ｃの下部に切欠部５ｈを設けておけば、上記同様にスライドプレート５の着脱が容易となる。
【００３３】
なお、本願発明は、その発明の範囲内において、各実施の形態を自由に組み合わせたり、各実施の形態を適宜、変更、省略したりすることが可能である。
【符号の説明】
【００３４】
１  筐体                              １ａ  扉取付面
１ｂ  開口部内周面                    ２  扉
２ａ  開口部対向面                    ２ｂ  扉外面
２ｃ  扉内面                          ３  ハンドル
３ａ  ハンドル軸                      ４  リンク
５  スライドプレート                  ５ａ  係合穴
５ｂ，５ｃ  長穴                      ５ｄ  切欠部
５ｅ  取付穴                          ５ｆ  係止部
５ｇ  誘い込み部                      ５ｈ  切欠部
６  連結板                            ７  ロックプレート
７ａ  突起部                          ７ｂ  取付穴
７ｃ  傾斜部                          ８，１０  ガイド部材
９  スペーサ                        １１  リベット
１２  連結板                          １３  スライドプレート
１３ａ  係合穴                        １３ｂ，１３ｃ  長穴
１３ｄ  切欠部。
【図１】
2014057453.tif 000003
【図２】
2014057453.tif 000004
【図３】
2014057453.tif 000005
【図４】
2014057453.tif 000006
【図５】
2014057453.tif 000007
【図６】
2014057453.tif 000008
【図７】
2014057453.tif 000009
【図８】
2014057453.tif 000010
【図９】
2014057453.tif 000011
【図１０】
2014057453.tif 000012